(57)【特許請求の範囲】
【請求項１】
上端開口の外筒１と、
該外筒上へ載置させて起立する把持筒12下端から、内向きフランジ13を介して有底の内筒部14を外筒内へ引上げ可能に垂下すると共に、把持筒上端面を開閉する蓋板15を把持筒上端一部へ肉薄ヒンジ16を介して付設したゲル状物収納筒11と、
上記把持筒12の上端一部に設けた切欠き18から柄32を外方突出させて、該柄先端に付設した、上記内筒部14の内径とほぼ同外径の平板状部33を把持筒12内へ収納させたカッター31とからなり、
上記内筒部14の前半部には、上部から下部までのほぼ半周部分を切欠いた窓孔21を穿設した
ことを特徴とする棒状のゲル状物収納容器。
【請求項２】
窓孔21上方の内筒部分外面に雄ねじ22を、外筒１の上端部内面に雌ねじ２を、それぞれ付設してそれ等雌雄ねじを螺合させた
ことを特徴とする請求項１記載の棒状のゲル状物収納容器。
【請求項３】
外筒下端を開口ないし透孔付き底板で閉塞すると共に、内筒部14の上下両部外面に、外筒内面へ気密に接するＯリング23,23 を付設した
ことを特徴とする請求項１又は２記載の棒状のゲル状物収納容器。
【請求項４】
内筒部14の上端部内面にカッター31の平板状部33係止用の突条20を付設した
ことを特徴とする請求項１、２又は３記載の棒状のゲル状物収納容器。
【請求項５】
カッター平板状部33の上下両全面をブラスト加工34した
ことを特徴とする請求項１、２、３又は４記載の棒状のゲル状物収納容器。
【発明の詳細な説明】
【０００１】
【発明の属する技術分野】
本発明は、棒状のゲル状物収納容器に関する。
【０００２】
【従来の技術】
例えば顔面使用のパック剤として、薬液を含浸させた紙又は布を、一枚宛気密に包装して容器体内に収納したもの、又均等厚みに切断した多数チーズ片を一枚宛紙袋で包装し、或いは包装しないまま多数紙箱内に収納させたものが知られている。
【０００３】
【発明が解決しようとする課題】
上記のように薬液含浸紙等を一枚宛気密包装等することは面倒であり、手数がかかるためコスト高となることを避けられない。そのように予め薄片としておく理由は、消費者の使用の便宜のためであるが、そのように薄片化しておくことで薬液ないし水分が気化して乾燥し易くなり、従ってその気化防止のための気密包装が必要な場合を生じ、更にコストを押し上げることとなる。
【０００４】
本発明は上記のようなゲル状物の気化防止等のために棒状物のまま容器内に収納し、又該棒状収納物を使用の都度、使用に適する薄片化することが容易なカッター付き容器を提案するものである。
【０００５】
【課題を解決するための手段】
第１の手段として上端開口の外筒１と、
該外筒上へ載置させて起立する把持筒12下端から、内向きフランジ13を介して有底の内筒部14を外筒内へ引上げ可能に垂下すると共に、把持筒上端面を開閉する蓋板15を把持筒上端一部へ肉薄ヒンジ16を介して付設したゲル状物収納筒11と、
上記把持筒12の上端一部に設けた切欠き18から柄32を外方突出させて、該柄先端に付設した、上記内筒部14の内径とほぼ同外径の平板状部33を把持筒12内へ収納させたカッター31とからなり、
上記内筒部14の前半部には、上部から下部までのほぼ半周部分を切欠いた窓孔21を穿設した。
【０００６】
第２の手段として、上記第１の手段を有すると共に窓孔21上方の内筒部分外面に雄ねじ22を、外筒１の上端部内面に雌ねじ２を、それぞれ付設してそれ等雌雄ねじを螺合させた。
【０００７】
第３の手段として、上記第１又は第２の手段を有すると共に外筒下端を開口ないし透孔付き底板で閉塞すると共に、内筒部14の上下両部外面に、外筒内面へ気密に接するＯリング23,23 を付設した。
【０００８】
第４の手段として、上記第１、第２、又は第３の手段を有すると共に内筒部14の上端部内面にカッター31の平板状部33係止用の突条20を付設した。
【０００９】
第５の手段として、上記第１、第２、第３又は第４の手段を有すると共にカッター平板状部33の上下両全面をブラスト加工34した。
【００１０】
【発明の実施の形態】
本発明の容器は、外筒と棒状のゲル状物収納筒と、カッターとからなり、それ等はそれぞれ合成樹脂材で一体成形している。尚カッターは金属製としてもよい。
【００１１】
外筒１は、上下両端面開口の円筒で形成し、その上端部内面には雌ねじ２を付設している。但し外筒下端には内向きフランジ状の底板を付設してもよく、又該底板を通気孔を有する底板としてもよい。これ等は後述内筒部引上げ時に外筒下部内が負圧化することを防止するものである。
【００１２】
ゲル状物収納筒11は、上記外筒上へ載置させて起立する把持筒12下端から、巾狭の内向きフランジ13を介して有底の内筒部14を外筒１内へ引上げでき、又押下げ可能に垂下すると共に、把持筒上端面を開閉する蓋板15を、把持筒上端一部へ肉薄ヒンジ16を介して付設している。該蓋板下面からは把持筒12の上端部内面へ嵌合させる嵌合短筒17を垂下させるとよく、又把持筒上端一部と該一部内方の嵌合短筒部分とには、後述カッターの柄を突出させるための切欠き18,19 を設けている。
【００１３】
又内筒部14の上端部内面へは上記カッターの平板状部係止用の突条20を複数等間隔に付設している。内筒部14の前半部には上部から下部までのほぼ半周部分を切欠いた窓孔21を穿設している。又その窓孔21上方の内筒部分外面には、既述雌ねじ２と螺合させる雄ねじ22を設けている。又内筒部の上下両部外面には外筒内面へ気密に接するＯリング23を付設している。
【００１４】
カッター31は、図１が示すように柄32の先端に円形の平板状部33を付設したもので、その平板状部は既述内筒部14の内径とほぼ同外径とする。そのカッターの平板状部33の上下両全面はブラスト加工34することが望ましく、このようにすることで棒状のゲル状物41切断の際に、そのゲル状物の薄片42が平板状部に密着せず、その取外しが容易となる。尚図面では省略して一部のみブレスト加工しているが、これはその加工を図示するためで、少くともゲル状物と接する全面にその加工を施す。
【００１５】
既述内筒部14内へは棒状のゲル状物41を嵌合させている。該ゲル状物の直径は内筒部の内径とほぼ同径とし、窓孔21に通して内筒部14内へ嵌合させることが可能としている。
【００１６】
上記構成において、内筒部内に棒状のゲル状物41を嵌合させ、かつカッター31の平板状部33を把持筒12内に入れて蓋板15を閉塞した図２が示す状態から、把持筒12を回して外筒１から螺脱した後、外筒１からゲル状物収納筒11を図１のように引上げ、蓋板15を開き、カッター31を取出して、図３が示すようにカッターの平板状部33でゲル状物上部を薄片42状に切断し、図４のように柄32を持ち外方へ引出し、その薄片42を使用する。尚カッターは、ゲル状物塗布用のヘラとして使用することが出来る。
【００１７】
薄片切断が終った後は、再びカッターの平板状部33を把持筒12内へ入れ、蓋板15を閉じた後、外筒１に対して内筒部14を嵌合させればよい。
【００１８】
【発明の効果】
本発明は既述構成としたから、ゲル状物を棒状のままで内筒部14内へ入れておき、必要時に外筒１内から内筒部14を引上げ、窓孔21からカッター31を差込み、薄片状に切断して使用でき、よって従来のようにゲル状物全体を予め薄片状に切断しておかなくてもよく、又それ等薄片を包装等する必要がなく、ゲル状物は棒状のままで内筒部内へ収納させるから、該ゲル状物の乾燥、気化等も防止できる。
【００１９】
又窓孔21は内筒部14のほぼ半周部分を切欠いて形成すると共に、カッター31の平板状部33の外径を内筒部14の内径とほぼ同径としたから、その平板状部を窓孔上下方向に対して水平として内筒部内へ差込みでき、よって内筒部内棒状のゲル状物を薄片状に切断することが出来る。
【００２０】
請求項２のように外筒上端部内面と窓孔21上方の内筒部部分外面とを螺合させることで外筒とゲル状物収納筒との嵌合を確実とすると共に容器外見を向上でき、請求項３のように内筒部の上下両部外面にＯリング23を嵌合させることで、棒状ゲル状物の外周面へ外気が触れることを防止して、既述乾燥、気化防止の効果を向上できる。
【００２１】
請求項４のように内筒部の上端部内面にカッターの平板状部係止用突条20を付設することで、カッターを把持筒12内に安定させることが出来、請求項５のようにカッター平板状部33の上下両全面をブラスト加工することで、ゲル状物薄片42がカッターに密着してその取外しが不便となることがない。
【図面の簡単な説明】
【図１】  蓋板を開いてカッターを取出し、かつ外筒からゲル状物収納筒を引き上げた状態で示す、本発明容器の斜視図である。
【図２】  図１容器の外見図である。
【図３】  ゲル状物切断状態を示す、説明図である。
【図４】  カッター上にゲル状物薄片が載置されている状態を示す斜視図である。
【符号の説明】
１  …外筒                  11  …ゲル状物収納筒
12  …把持筒                14  …内筒部
21  …窓孔                  31  …カッター
【図１】
0003859887.tif 000002
【図２】
0003859887.tif 000003
【図３】
0003859887.tif 000004
【図４】
0003859887.tif 000005